(57)【要約】学習型リモコンの購入も必要なく、また、大画面のディスプレイ上の多様なメニュー操作により登録作業を容易にする映像表示装置を提供する【解決手段】  映像表示装置１０において他機器制御の設定を行い、映像表示装置１０へリモコン信号を出力するリモコン２０から、他の電子機器６０１〜６０３の他機器制御用リモコン信号を映像表示装置１０が受信し、当該他機器制御用リモコン信号に基づいて制御対象となる電子機器へリモコン信号を送信し制御する仕組みを実現することにより、従来のような学習型リモコンへの操作登録を行う必要がなくなる。ユーザは、大画面のディスプレイ１０１上に表示される多様なメニューに沿って操作を行うことができる。【選択図】      図２
2009071366.tif 000002
【特許請求の範囲】
【請求項１】
操作に応じた設定信号および第１の他機器制御信号を受信する受信手段と、
他の電子機器に第２の他機器制御信号を送信する送信手段と、
設定用のガイド画面を表示するディスプレイと、
前記受信手段が受信した前記第１の他機器制御信号に基づいて処理を行う処理手段と
を有し、
前記処理手段は、
前記ガイド画面を前記ディスプレイに表示し、前記第１の他機器制御信号を前記受信手段が受信した場合に前記送信手段を介して送信する前記第２の他機器制御信号を記憶部に設定する処理を、前記ガイド画面に従って受信した前記設定信号に基づいて行う設定処理と、
前記受信手段が前記第１の他機器制御信号を受信した場合に、当該受信した第１の他機器制御信号に対応した前記第２の他機器制御信号を前記記憶部から取得し、当該取得した第２の他機器制御信号を前記送信手段を介して前記他の電子機器に送信して当該他の電子機器を制御する電子機器制御処理と
を行うことを特徴とする映像表示装置。
【請求項２】
前記処理手段は、
前記ディスプレイの表示がオンおよびオフどちらの状態においても、前記電子機器制御処理を稼働状態にすることを特徴とする請求項１に記載の映像表示装置。
【請求項３】
前記処理手段は、
前記受信手段が受信した単一の前記第１の他機器制御信号に基づいて、予め決められた複数の前記他の電子機器の各々を制御するための複数の第２の他機器制御信号を取得し、当該取得した複数の第２の他機器制御信号を、前記送信手段を介して、各第２の他機器制御信号に対応した前記他の電子機器に送信することを特徴とする請求項１または請求項２に記載の映像表示装置。
【請求項４】
操作信号を受信して処理を行う映像表示装置の信号処理方法であって、
前記設定信号を受信する第１の受信工程と、
前記第１の受信工程で受信した前記設定信号に基づいてガイド画面を表示するガイド画面表示工程と、
他の電子機器を制御するための第１の他機器制御信号を受信したときに当該他の電子機器に送信する第２の他機器制御信号を記憶部に設定する設定処理を、前記ガイド画面表示工程で表示した前記ガイド画面に従って受信した設定信号に基づいて行う設定工程と、
前記第１の他機器制御用制御信号を受信する第２の受信工程と、
前記第２の受信工程で受信した前記第１の他機器制御信号に対応した前記第２の他機器制御信号を前記記憶部から取得し、当該取得した第２の他機器制御信号を他の電子機器に送信して当該他の電子機器を制御する送信工程と
を有することを特徴とする映像表示装置の信号処理方法。
【発明の詳細な説明】
【技術分野】
【０００１】
本発明は、他の電子機器に対して制御信号を送信する映像表示装置、並びにその信号処理方法に関する。
【背景技術】
【０００２】
近年、多くの電子機器がリモートコントローラ（以下、リモコンとも記す）で操作を行うことが可能であり、機器ごとに専用のリモコンがあるため、多くのリモコンを操作することはユーザにとって煩わしい状況となっている。
その状況を改善するため、従来の技術は、映像表示機器に付属のリモコンとは異なる学習型リモコンを別途購入し、学習型リモコンに対して、リモコン操作可能な電子機器のリモコン信号を送信したり、学習型リモコンのボタンを操作するなどして、送信するリモコン信号を学習型リモコンに登録する方式を採用していた。
【０００３】
【特許文献１】特開平８−２３７７５１号公報
【発明の開示】
【発明が解決しようとする課題】
【０００４】
しかしながら従来の技術では、学習型リモコンを別途購入しなければならない。また、学習型リモンコンにはＧＵＩ（Graphical User Interface）によるガイドが備えられていない場合もあり、他電子機器に送信するリモコン信号を学習型リモコンに登録する作業は煩雑で分かりにくいという問題がある。
【０００５】
本発明は、上述した従来技術の問題に鑑みてなされ、学習型リモコンを購入することなく、しかも分かりやすい簡単な操作で、映像表示装置の操作手段（リモコン）を用いて他の電子機器を制御することができる映像表示装置およびその信号処理方法を提供することを目的とする。
【課題を解決するための手段】
【０００６】
上述した従来技術の問題点を解決し、上述した目的を達成するために、第１の観点の発明の映像表示装置は、操作に応じた設定信号および第１の他機器制御信号を受信する受信手段と、他の電子機器に第２の他機器制御信号を送信する送信手段と、設定用のガイド画面を表示するディスプレイと、前記受信手段が受信した前記第１の他機器制御信号に基づいて処理を行う処理手段とを有し、前記処理手段は、前記第１の他機器制御信号を前記受信手段が受信した場合に前記送信手段を介して送信する前記第２の他機器制御信号を記憶部に設定する処理を、前記ガイド画面に従って受信した前記設定信号に基づいて行う設定処理と、前記受信手段が前記第１の他機器制御信号を受信した場合に、当該受信した第１の他機器制御信号に対応した前記第２の他機器制御信号を前記記憶部から取得し、当該取得した第２の他機器制御信号を前記送信手段を介して前記他の電子機器に送信して当該他の電子機器を制御する電子機器制御処理とを行う。
【０００７】
第１の観点の発明の映像表示装置では、処理手段が、先ず、設定処理を行い、その後、電子機制御処理を行う。
前記処理手段は、前記設定処理において、前記ガイド画面を前記ディスプレイに表示し、前記第１の他機器制御信号を前記受信手段が受信した場合に前記送信手段を介して送信する前記第２の他機器制御信号を記憶部に設定する処理を、前記ガイド画面に従って受信した前記設定信号に基づいて行う。
また、前記処理手段は、前記電子機器制御処理において、前記受信手段が前記第１の他機器制御信号を受信した場合に、当該受信した第１の他機器制御信号に対応した前記第２の他機器制御信号を前記記憶部から取得し、当該取得した第２の他機器制御信号を前記送信手段を介して前記他の電子機器に送信して当該他の電子機器を制御する。
【０００８】
第１の観点の発明の映像表示装置によれば、上述したようにガイド画面を基に、設定処理を行うことができるため、ユーザにとって設定操作が容易になり、設定操作に伴うユーザの負担を軽減できる。
また、上記設定操作により、当該映像表示装置の操作手段を用いて、他の電子機器を制御することができ、従来技術で説明したような学習型リモコンを別途購入する必要がない。
【０００９】
好適には、第１の観点の発明の映像表示装置の前記処理手段は、前記ディスプレイの表示がオンおよびオフどちらの状態においても、前記電子機器制御処理を稼働状態にする。
このようにディスプレイの表示がオフの場合でも、電子機器制御処理を稼動状態にすることで、他電子機器制御のためにディスプレイを常にオンにする必要がなく、省電力化を図れる。
【００１０】
好適には、第１の観点の発明の映像表示装置の前記処理手段は、前記受信手段が受信した単一の前記第１の他機器制御信号に基づいて、予め決められた複数の前記他の電子機器の各々を制御するための複数の第２の他機器制御信号を取得し、当該取得した複数の第２の他機器制御信号を、前記送信手段を介して、各第２の他機器制御信号に対応した前記他の電子機器に送信する。
これにより、単数の操作で一括して複数の他の電子機器を制御することができ、ユーザによる操作負担を軽減できる。
【００１１】
第２の観点の発明の映像表示装置の信号処理方法は、操作信号を受信して処理を行う映像表示装置の信号処理方法であって、前記設定信号を受信する第１の受信工程と、前記第１の受信工程で受信した前記設定信号に基づいてガイド画面を表示するガイド画面表示工程と、他の電子機器を制御するための第１の他機器制御信号を受信したときに当該他の電子機器に送信する第２の他機器制御信号を記憶部に設定する設定処理を、前記ガイド画面表示工程で表示した前記ガイド画面に従って受信した設定信号に基づいて行う設定工程と、前記第１の他機器制御用制御信号を受信する第２の受信工程と、前記第２の受信工程で受信した前記第１の他機器制御信号に対応した前記第２の他機器制御信号を前記記憶部から取得し、当該取得した第２の他機器制御信号を他の電子機器に送信して当該他の電子機器を制御する送信工程とを有する。
【発明の効果】
【００１２】
本発明によれば、学習型リモコンを購入することなく、しかも分かりやすい簡単な操作で、映像表示装置の操作手段を用いて他の電子機器を制御することができる映像表示装置およびその信号処理方法を提供することができる。
【発明を実施するための最良の形態】
【００１３】
以下、本発明の実施形態について図面を参照し説明する。
図１は、本発明の実施形態の外観図である。
図１において、映像表示装置０１は、リモコン０２や本体操作ボタン０３等から「設定用リモコン信号」を受信し、当該信号を基に設定処理を行う。
上記設定処理後にリモコン０２や本体操作ボタン０３等からの「他機器制御用リモコン信号」を受信すると、当該他機器制御用リモコン信号と上記設定処理によって設定された内容に従って、他の電子機器０５に対応したリモコン信号を送信する。
また、映像表示装置０１では、上記設定処理や他の電子機器を制御する際に、ディスプレイ上に操作をガイドするガイド画面０４を表示し、ユーザは当該ガイド画面に従って操作する。
図２は、本発明の実施形態のブロック図である。
図２において、映像表示装置１０は、例えば、ハードウェアとして、リモコン２０、ディスプレイ１０１、リモコン信号受信部１０２、リモコン信号送信部１０３、制御部１０４、記憶部１０５、ネットワーク接続部１０６を有する。
また、映像表示装置１０は、サーバ３０および遠隔操作用端末装置４０と信号のやり取りを行い、他の電子機器６０１〜６０４へリモコン信号を送信する。映像表示装置１０は、例えば、テレビジョン受像機である。
【００１４】
リモコン２０が本発明の操作手段の一例であり、リモコン信号受信部１０２が本発明の受信手段の一例であり、他の電子機器６０１〜６０３が本発明の他の電子機器の一例であり、リモコン信号送信部１０３が本発明の送信手段の一例であり、映像表示装置１０が本発明の映像表示装置の一例であり、ディスプレイ１０１が本発明のディスプレイの一例であり、記憶部１０５が本発明の記憶部の一例である。
また、図４〜５は他の電子機器６０１〜６０３を制御するためのリモコン信号の設定を行うメニュー画面を示している。ＳＣ０１Ａ〜０６Ａ、ＳＣ０１Ｂ〜０６Ｂ、ＳＣ０１Ｃ〜０６Ｃが本発明のガイド画面の一例である。
また、リモコン２０が送信する設定用リモコン信号が本発明の設定信号の一例であり、リモコン２０が送信する他機器制御用リモコン信号が本発明の第１の他機器制御信号の一例であり、映像表示装置１０が送信するリモコン信号が本発明の第２の他機器制御信号の一例である。
【００１５】
先ず、映像表示装置１０の特徴の概要を説明する。
映像表示装置１０は、リモコン２０からの「設定用リモコン信号」を基に設定処理を行い、当該設定処理後にリモコン２０からの「他機器制御用リモコン信号」と上記設定処理によって設定された内容に従って、他の電子機器６０１〜６０３に対応したリモコン信号を取得して、当該他の電子機器を制御する制御処理を行う。
映像表示装置１０では、上記設定処理において、ディスプレイ１０１に設定操作をガイドするメニュー画面を表示し、ユーザは当該メニュー画面に従って、他の電子機器６０１〜６０３のリモコン信号に関する情報を設定する。
また、映像表示装置１０では、上記設定処理後に、リモコン２０を使って、他の電子機器６０１〜６０３を以下に示すように制御する。
【００１６】
リモコン２０より他の電子機器６０１〜６０３に対する他機器制御用リモコン信号が出力されると、リモコン信号受信部１０２が当該他機器制御用リモコン信号を受信する。制御部１０４は、当該受信された他機器制御用リモコン信号に基づいて、記憶部１０５に登録されている制御対象機器の情報を取得し、機器選択メニューをディスプレイ１０１に表示する。
上記機器選択メニュー基づいたユーザ５０によるリモコン２０の操作に応じて送信された他機器制御用リモコン信号が、リモコン信号受信部１０２で受信される。制御部１０４は、当該受信された他機器制御用リモコン信号に基づいて、記憶部１０５に登録されている選択された機器の操作情報を取得し、上記選択された機器の操作メニューをディスプレイ１０１に表示する。
【００１７】
さらに、上記操作メニュー基づいたユーザ５０によるリモコン２０の操作に応じて送信された他機器制御用リモコン信号が、リモコン信号受信部１０２で受信される。制御部１０４は、当該受信された他機器制御用リモコン信号に基づいて、選択された機器と操作に対応したリモコン信号をリモコン信号送信部１０３に出力する。リモコン信号送信部１０３は制御対象機器へリモコン信号を送信する。例えば、他の電子機器６０１は、上記リモコン信号を受信し、当該リモコン信号に対応する処理を実行する。
【００１８】
このように、映像表示装置１０において他機器制御の設定を行うとともに、ユーザ５０がリモコン２０を操作することで、他の電子機器６０１〜６０３等の動作を制御するこが可能になる。そのため、学習型リモコンを別途購入する必要がない。また、他機器制御の設定において大画面のディスプレイ１０１に表示された多様なメニュー画面を用いることができ、ユーザにとって分かりやすく、設定のための負担を少なくできる。
【００１９】
以下、図２に示す各構成要素を説明する。
映像表示装置１０は、例えば、ハードウェアとしてディスプレイ１０１、リモコン信号受信部１０２、リモコン信号送信部１０３、制御部１０４、記憶部１０５およびネットワーク接続部１０６を有する。本実施形態では、ネットワーク経由のデータを受信し、電子機器情報や操作情報を表示することのできるデジタルテレビを想定している。
また、映像表示装置１０は、上述のようにネットワーク経由で受信される、あるいは予め登録されているリモコン信号のメーカコード、機器コード、リモコンボタンコード等のデータに基づき、他機器制御の設定を行い、他機器を制御することが可能である。
また、映像表示装置１０において、ディスプレイ１０１の表示がオフ状態であっても、リモコン信号受信部１０２、リモコン信号送信部１０３、制御部１０４等のリモコン信号送受信機能は稼動させておくことが可能である。この場合に、例えば、ディスプレイ１０１上に映像が表示されていない状態で、予め登録してある操作情報に基づきリモコン２０を操作することにより、リモコン信号を送受信することが可能である。
【００２０】
リモコン２０は、例えば、図３に示すように、ボタンＢＴＩＲ、ボタングループＢＴＧＮＵＭ、ボタングループＢＴＧＣＯＬを有する。
ボタンＢＴＩＲは、当該ボタンを操作することにより、例えば、他機器制御モード（ＩＲコントロールモード）に切り替わり、制御部１０４は制御対象機器の情報を取得し、機器選択メニューをディスプレイ１０１に表示する。
ボタングループＢＴＧＣＯＬは、ボタンＢＴＢ、ボタンＢＴＲ、ボタンＢＴＧ、ボタンＢＴＹの、全部で４つのボタンが横一列に配置され、左から順に、「青」、「赤」、「緑」、「黄」の色である。これは、デジタル放送を受信する機器のリモコンには標準搭載されているボタンであり、色の順序、色使いが統一されていることからもユーザが認識しやすいボタン群である。
【００２１】
例えば、上記ボタングループＢＴＧＣＯＬとボタングループＢＴＧＮＵＭのボタン操作を組み合わせることによって、各機器の操作のショートカットボタンを設定することが可能である。
例えば、ボタンＢＴＢとボタンＢＴ１で照明をオンにする、ボタンＢＴＢとボタンＢＴ１で照明をオフにする、ボタンＢＴＲとボタンＢＴ１でエアコンをオンにする、ボタンＢＴＲとボタンＢＴ２でエアコンをオフにする、ボタンＢＴＲとボタンＢＴ３でエアコンの温度を下げる、等であり、ボタン組み合わせとそれに割り当てることができる操作の設定は自由に行える。
このようなショートカットボタンによる操作は、ディスプレイ１０１に映像が表示されている場合も使用でき、また、映像が表示されていない場合も使用可能である。
【００２２】
サーバ３０は、各種電子機器の型番やリモコンボタン等の情報を保持しており、映像表示装置１０においてリモコン信号等を登録する際に、制御対象となる電子機器の情報をダウンロードして使用することが可能である。
ホームネットワークは、有線ＬＡＮや無線ＬＡＮ、ＩＰｖ４、ＵＰｎＰ（universal plug and play）などのネットワークである。
【００２３】
遠隔操作用端末装置４０は、ユーザ５０が、当該遠隔操作用端末装置を操作することにより、予め登録してある制御対象機器をネットワークを介して制御することが可能である。
遠隔操作用端末装置４０としては、パソコンや多機能な携帯電話機等がある。
【００２４】
他の電子機器６０１〜６０４は、ＤＶＤ(Digital Versatile Disc)プレーヤ、ビデオデッキ、ＨＤＤ(Hard
Disc Drive)レコーダ、ＡＶ(Audio Visual)アンプ、照明機器、エアコン等、リモコンにて操作可能な家庭電気製品である。
他の電子機器６０１は、映像表示装置１０のネットワーク接続部１０６を介してホームネットワークに接続している。さらに映像表示装置１０の制御対象機器として登録されており、リモコン信号送信部１０３から送信されたリモコン信号を受信可能である。
他の電子機器６０２、６０３は、映像表示装置１０のネットワーク接続部１０６を介してホームネットワークに接続していないが、映像表示装置１０の制御対象機器として登録されており、リモコン信号送信部１０３から送信されたリモコン信号を受信可能である。
他の電子機器６０４は、映像表示装置１０のネットワーク接続部１０６を介してホームネットワークに接続している。しかし映像表示装置１０には制御対象機器として登録されていないため、リモコン信号送信部１０３から送信されたリモコン信号は受信しない。
【００２５】
ディスプレイ１０１は、制御部によって出力されたリモコン信号の設定画面、機器選択メニュー、操作選択メニュー等を表示する。
【００２６】
リモコン信号受信部１０２は、リモコン２０から送信される、映像表示装置１０の通常の映像表示等の制御用のリモコン信号、他の電子機器６０１〜６０３を制御するための設定用リモコン信号や他機器制御用リモコン信号等のリモコン信号を受信して、当該リモコン信号を制御部１０４へ出力する。
【００２７】
リモコン信号送信部１０３は、制御部１０４から出力された、他の電子機器６０１〜６０３を制御するための他機器制御用リモコン信号を受け取り、当該リモコン信号をパルス信号にして制御対象機器へ送信する。
【００２８】
制御部１０４は、映像表示装置１０の全体の機能を制御する。
制御部１０４は、リモコン信号受信部１０２から他の電子機器の設定用リモコン信号が入力されると、設定画面をディスプレイ１０１に表示し、設定処理をナビゲートし、上記他の電子機器の操作情報を記憶部１０５へ登録する。
制御部１０４は、上記設定処理を終了した後に、例えば、下記表１に示すようなテーブル情報ＴＢＬを記憶部１０５に格納する。
下記表１に示すように、テーブル情報ＴＢＬは、制御対象の他の電子機器と、その操作情報と、その操作の名称と、それに対応してリモコン信号送信部１０３から送信されるリモコン信号（デジタルデータ）とを対応付けて示している。
【００２９】
【表１】
2009071366.tif 000003
【００３０】
また、制御部１０４は、リモコン信号受信部１０２から他の電子機器６０１〜６０３の他機器制御用リモコン信号が入力されると、記憶部１０５に記憶された上記表1に示すテーブル情報ＴＢＬを参照して、登録された制御対象機器や、各機器の操作情報を取得し、機器選択メニューや操作選択メニューを作成しディスプレイ１０１に表示する。さらに、上記メニューに沿って指定された機器と操作情報を基に、制御対象機器に送信すべきリモコン信号を取得し、当該リモコン信号をリモコン信号送信部１０３へ出力する。
【００３１】
また、制御部１０４は、ディスプレイ１０１が映像を表示していない状態でも、リモコン信号受信部１０２がショートカットボタン等の他機器制御用リモコン信号を受信すると、記憶部１０５に予め登録されているショートカットボタンに対応した操作情報を取得し、制御対象機器に送信すべきリモコン信号をリモコン信号送信部１０３へ出力する。このとき、ディスプレイ１０１には映像が表示されていないので、ユーザは、あたかも映像表示装置１０を介さずに直接操作しているような操作感を得る。上記リモコン信号の送受信の際には処理完了の確認のために、ビープ音等の効果音を出してもよい。
【００３２】
また、制御部１０４は、記憶部１０５に予め登録された操作情報を基に、単一のリモコン信号から複数の電子機器を制御するための複数のリモコン信号に変換し、例えば、一定の間隔で順次複数の電子機器へリモコン信号を送信することが可能である。すなわち、複数の電子機器に対して連続動作を制御するようにしてもよい。このとき、制御対象となる電子機器から返ってくる信号から次に送信するリモコン信号を判断し、次のリモコン信号を送信する機能があってもよい。
この場合には、記憶部１０５に記憶されたテーブル情報ＴＢＬは、連続動作の名称と、それに対応してリモコン信号送信部１０３から送信される複数の電子機器のリモコン信号（デジタルデータ）とを対応付けて示している。
【００３３】
また、制御部１０４は、記憶部１０５に予め登録された時刻と登録された操作情報を基に、制御部１０４のタイマー機能により特定の時刻に他の電子機器６０１〜６０３へリモコン信号を送信することが可能である。
【００３４】
さらに、ユーザ５０が外出先で遠隔操作用端末装置４０を操作することにより伝達されたリモコン信号を、ネットワーク接続部１０６が受信して制御部１０４に入力し、制御部１０４は、記憶部１０５に予め登録されている操作情報を取得し、操作対象機器に送信すべきリモコン信号をリモコン信号送信部１０３へ出力し、他の電子機器６０１〜６０３へリモコン信号が送信され、ユーザ５０が自宅不在時においても他の電子機器６０１〜６０３を制御することが可能となる。
【００３５】
記憶部１０５は、設定処理にて登録された制御対象機器の情報、各機器の操作情報、それに対応するリモコン信号や、他にショートカットボタン情報や、タイマー予約等の定義情報を保持している。
また、記憶部１０５には、購入時に既に他の電子機器の型番やリモコンボタン名等のデータベースが登録されており、他機器制御の設定を行う際は、当該データベースから制御対象となる他の電子機器の型番やリモコンボタン名を選択し設定を行うことができる。
【００３６】
ネットワーク接続部１０６は、サーバ３０、遠隔操作用端末装置４０、制御部１０４等とデータのやりとりを行う。
例えば、他機器制御の設定を行う際は、ネットワーク接続部１０６を経由してサーバ３０へ他の電子機器の型番やリモコンボタン名等の情報を要求し、ダウンロードすることが可能であり、当該要求した情報を制御部１０４へ出力する。
また、ユーザ５０が遠隔操作用端末装置４０から遠隔操作でリモコン信号を送信した場合、ネットワーク接続部１０６がこれを受信して、制御部１０４へ出力する。また、送信結果を遠隔操作用端末装置４０へ返してもよい。
また、ネットワーク接続部１０６を介して、他の電子機器６０１、６０４はホームネットワークに接続している。
【００３７】
以下、本発明の動作例について説明する。
本動作例では、制御対象となる他の電子機器の制御設定を行う動作例と、設定された制御対象機器の情報と操作情報を基に、他の電子機器６０１〜６０３の制御を行う動作例とを示す。
上記制御設定については、購入時に登録されているデータベースやサーバから取得できるデータベースから機器の型番やリモコンボタン等の情報を参照し設定を行う場合の動作例と、リモコン信号を直接リモコンから受信し設定を行う場合の動作例と、リモコン信号のコードを直接数値入力し設定を行う場合の動作例を示す。
また、単一のリモコン信号で複数のリモコンボタン制御を行うための設定や、ショートカットボタンの設定についても記述する。
【００３８】
さらに、上記他の電子機器６０１〜６０３の制御については、ディスプレイ１０１に操作メニューを表示して操作を行う場合の動作例と、ディスプレイ１０１の表示をオフした状態で操作を行う場合の動作例と、ひとつのリモコン信号で複数の電子機器の操作を各々制御する場合の動作例と、タイマー機能にて特定の時間にリモコン信号を送信し操作する場合の動作例と、ユーザが遠隔地から操作する場合の動作例を示す。
【００３９】
＜他の電子機器の制御設定（設定処理）＞
［データベースやサーバの情報を参照する場合の動作例］
購入時に既に記憶部１０５に登録されているデータベースか、サーバ３０にアクセスして得られるデータベースから、他の電子機器の型番やリモコンボタン名等を参照し、他機器制御の設定を行う際の動作について説明する。
【００４０】
図４は、上記制御設定を行う際の動作について説明するための設定画面遷移図である。
リモコン２０から、リモコン信号受信部１０２が、データベース参照しながら設定する設定用リモコン信号を受信すると（画面ＳＣ０１Ａ）、制御部１０４は、データベースの情報を参照して対象となる機器の種類を選択する画面をディスプレイ１０１に表示する（画面ＳＣ０２Ａ）。
【００４１】
機器の種類が選択されると、制御部１０４は、該当する機器のメーカ一覧をディスプレイ１０１に表示する（画面ＳＣ０３Ａ）。
メーカが選択されると、該当する機器とメーカの型番一覧をディスプレイ１０１に表示する（画面ＳＣ０４Ａ）。
型番が選択されると、制御部１０４は、該当する型番のリモコンボタン一覧をディスプレイ１０１に表示する（画面ＳＣ０５Ａ）。
リモコンボタンが選択されると、制御部１０４は、選択されたリモコンボタンに対して名称を自由に設定するための画面をディスプレイ１０１に表示する（画面ＳＣ０６Ａ）。
設定が終了すると、制御部１０４は、選択された機器の情報、操作情報、名称情報、リモコン信号等を、記憶部１０５に登録する。例えば、前述した表１に示すようなテーブル情報を保存する。
【００４２】
［リモコン信号を直接リモコンから受信する場合の動作例］
上記データベースに登録されていないリモコン信号については、映像表示装置１０が有するリモコン信号登録用メニューを開いた状態で、リモコン２０を映像表示装置１０に向けて、直接リモコン信号を送信することで、制御部１０４が、リモコン信号を解析し記憶部１０５に登録することが可能である。登録したリモコン信号は上記「データベースやサーバの情報を参照する場合の動作例」の設定画面にディスプレイ１０１に表示させることが可能となり、上記設定画面にて設定を行うことが可能となる。
【００４３】
図５は、上記リモコン信号の登録を行う際の動作について説明するための設画面遷移図である。
リモコン２０から、リモコン信号受信部１０２が、リモコンから直接リモコン信号を登録するための、設定用リモコン信号を受信すると（画面ＳＣ０１Ｂ）、制御部１０４は、受信開始確認用の画面をディスプレイ１０１に表示する。（画面ＳＣ０２Ｂ）。
受信開始が選択されると、制御部１０４は、リモコン信号受信部１０２がリモコン信号を受信しているかどうか確認する（画面ＳＣ０３Ｂ）。
制御部１０４は、受信された上記リモコン信号を解析し、解析された情報を記憶部１０５へ登録すると、受信完了のメッセージをディスプレイ１０１に表示する（画面ＳＣ０４Ｂ）。
【００４４】
“テスト送信”が選択されると、制御部１０４は、上記解析された情報に基づき、制御対象となる電子機器の情報と操作情報を取得し、リモコン信号送信部１０３へ適切なリモコン信号を出力し、上記制御対象となる電子機器へのリモコン信号の送信を開始する（画面ＳＣ０５Ｂ）。
リモコン信号送信部１０３が上記リモコン信号の送信を完了すると、制御部１０４は、送信完了のメッセージをディスプレイ１０１に表示する。（画面ＳＣ０６Ｂ）。
設定が終了すると、制御部１０４は、選択された機器の情報、操作情報、名称情報、リモコン信号等を、記憶部１０５に登録する。例えば、制御部１０４は、前述した表１に示すようなテーブル情報を保存する。
また、上記テスト送信の処理を省略し、上記リモコン信号登録の処理が終了した時点で、登録処理を終了ができてもよい。
【００４５】
［リモコン信号を数値入力する場合の動作例］
さらに、他の電子機器の付属リモコンが紛失や故障によりリモコン信号を送信できない状態において、データベースにも登録されていないリモコン信号については、リモコン信号のメーカコード、機器コード、リモコンボタンコードを数値入力により登録することが可能である。
登録したリモコン信号は上記「データベースやサーバの情報を参照する場合の動作例」の設定画面に表示させることが可能となり、上記設定画面にて設定を行うことが可能となる。
【００４６】
図６は、上記リモコン信号の登録を行う際の動作について説明するための設画面遷移図である。
リモコン２０から、リモコン信号受信部１０２が、数値入力しリモコン信号を登録するための、設定用リモコン信号を受信すると（画面ＳＣ０１Ｃ）、制御部１０４は、メーカ番号入力用の画面をディスプレイ１０１に表示し、数値入力を促す（画面ＳＣ０２Ｃ）。
メーカ番号が入力されると、制御部１０４は、機器番号入力用の画面をディスプレイ１０１に表示し、数値入力を促す（画面ＳＣ０３Ｃ）。
機器番号が入力されると、制御部１０４は、リモコンボタン番号入力用の画面をディスプレイ１０１に表示し、数値入力を促す（画面ＳＣ０４Ｃ）。
リモコンボタンが入力されると、制御部１０４は、入力されたリモコン信号を記憶部１０５へ登録する。
【００４７】
“テスト送信”が選択されると、制御部１０４は、入力された情報に基づいて、制御対象となる他の電子機器の情報と操作情報を取得し、リモコン信号送信部１０３へ適切なリモコン信号を出力し、他の電子機器へのリモコン信号の送信を開始する（画面ＳＣ０５Ｃ）。
リモコン信号送信部１０３が上記リモコン信号の送信を完了すると、制御部１０４は、送信完了のメッセージを表示する。（画面ＳＣ０６Ｃ）。
設定が終了すると、制御部１０４は、選択された機器の情報、操作情報、名称情報、リモコン信号等を、記憶部１０５に登録する。例えば、制御部１０４は、前述した表１に示すようなテーブル情報を保存する。
また、上記テスト送信の処理を省略し、上記リモコン信号登録の処理が終了した時点で、登録処理を終了ができてもよい。
【００４８】
［複数電子機器の連続操作の設定］
［データベースやサーバの情報を参照する場合の動作例］、［リモコン信号を直接リモコンから受信する場合の動作例］あるいは［リモコン信号を数値入力する場合の動作例］にて設定されたリモコン信号を組み合わせ登録しておくことにより、単一のリモコン信号を受信することにより、連続したリモコン信号を送信することが可能である。例えば、“シアター開始”という連続操作項目を登録し、これに対して、“照明をおとす”、“ＤＶＤプレーヤＯＮ”、“ＡＶアンプＯＮ”、等の複数のリモコン信号を定義づける設定を行う。
設定を終了すると、制御部１０４は、上記定義情報を記憶部１０５に登録する。
【００４９】
なお、単一のリモコン信号（操作）に対して、所定の連続動作についての複数組のリモコン信号の組み合わせを各々規定した複数種類のパターンデータがデータベースに予め用意していてもよい。この場合には、設定処理においてユーザがリモコン２０を操作して、上記単一のリモコン信号に割り当てる連続動作を選択する。
【００５０】
［ショートカットボタンの設定］
ショートカットボタンを登録しておけば、ディスプレイ１０１がオフの状態でもショートカットボタンを操作することにより、他の電子機器へリモコン信号を送信することが可能である。また、ディスプレイ１０１がオンの状態であっても、メニュー操作を行うことなく、ショートカットボタンで操作を行うことが可能である。
設定については、例えば、図３に示されている、ボタンＢＴＢとボタンＢＴ１の組み合わせを登録できる画面が表示され、そのショートカットボタンに対して、“エアコンをオンにする”というようなリモコン信号の割り当てを行う。
また、ボタンの組み合わせは自由であり、登録されたショートカットボタンに割り当てられる他の電子機器のリモコン信号も自由に設定できる。
設定を終了すると、制御部１０４は、上記割り当て情報を記憶部１０５に登録する。
【００５１】
＜他の電子機器の制御＞
以下、前述した＜他の電子機器の制御設定＞で設定された制御対象機器の情報と操作情報を基に、他の電子機器の制御を行う動作例を示す。
図７は、他の電子機器を制御する際の動作について説明するためのフローチャートである。
【００５２】
［操作メニューを表示し操作を行う場合の動作例］
以下、ディスプレイ１０１に各電子機器の操作メニューを表示して他の電子機器６０１〜６０３の制御を行う際の動作について説明する。
リモコン２０から、リモコン信号受信部１０２がリモコン信号を受信すると、制御部１０４は、他機器制御用リモコン信号が受信されたのかを判断し（ステップＳＴ０１）、前記他機器制御用リモコン信号であると判断した場合に、遠隔操作やタイマー操作でない場合、それ以外の処理を行うと判断する（ステップＳＴ０２）。
【００５３】
ディスプレイ１０１がオンかオフかを判断し（ステップＳＴ０３）、オンであれば、リモコン信号がメニュー操作を要求するものか、ショートカットボタンによる操作を要求するものかを判断する（ステップＳＴ０４）。
【００５４】
上記メニュー操作を要求するものであれば、制御部１０４は記憶部１０５上のテーブルに格納されている制御対象機器である他の電子機器６０１〜６０３の情報を取得し、機器選択メニューを作成してディスプレイ１０１に表示する（ステップＳＴ０５）。上記機器選択メニューは、例えば、図８に示すようなメニューがディスプレイ１０１に表示され、メニューＭＮ０１において選択したい電子機器を選択する。例えば、ＡＶアンプ、ＤＶＤプレーヤ、照明、エアコン等である。
【００５５】
さらに、制御部１０４は、単体の電子機器に対する制御が選択されたか、複数の電子機器に対する連続制御を選択されたかを判断し（ステップＳＴ０６）、上記単体の電子機器に対する制御が選択された場合、制御部１０４は、当該電子機器に対応する操作情報を記憶部１０５上のテーブルから取得し、操作選択メニューを表示する（ステップＳＴ０７）。例えば、図８のメニューＭＮ０２に示すようなメニューが表示される。
各電子機器に対する操作情報は、表１に示すようなものが考えられるが、これに限らない。
【００５６】
操作選択メニューから操作が選択されると、制御部１０４は、記憶部１０５上のテーブルから対象機器の選択されたリモコン信号を取得し（ステップＳＴ０８）、リモコン信号送信部１０３へ渡し、リモコン信号送信部１０３は当該リモコン信号のパルス変換を行い、制御対象機器へリモコン信号を送信する（ステップＳＴ０９）。当該リモコン信号を受信した電子機器は信号に対応した処理を行う。
【００５７】
［ディスプレイがオフの状態で操作する場合の動作例］
次に、ディスプレイ１０１に画像が表示されていない状態で、他の電子機器６０１〜６０３を制御する際の動作について説明する。
図７の、フローチャートに示されるとおり、ステップＳＴ１１以外のフローは上記［操作メニューを表示し操作を行う場合の動作例］のフローと同様である。
【００５８】
ステップＳＴ０３でディスプレイ１０１がオフと判断された場合、制御部１０４は、受信した他機器制御用リモコン信号をショートカットボタンが操作されたものと認識し、［ショートカットボタンの設定］で設定された内容を基に、操作内容の分析を行う（ステップＳＴ１１）。その分析した情報を基に、制御部１０４は、記憶部１０５上のテーブルから、対象機器、操作情報および対応するリモコン情報等を取得する。表示がオフの状態で操作を行う際、ユーザの操作性を向上させるために、信号の送受信の際には処理完了の確認のためのビープ音等の効果音を出してもよい。
【００５９】
また、ディスプレイ１０１がオンの状態でもショートカットボタン操作は可能であり（ステップＳＴ０４で“ショートカット”と判断された場合）、本動作例と同様の動作を行う。このとき、画面上には、例えば、図９に示されるような画面が表示され、メニューＭＮ０３には他機器制御モードを示す内容と、メニューＭＮ０４には制御内容等が表示される。
【００６０】
［機器の連続操作を行う場合の動作例］
次に、他の電子機器６０１〜６０３の連続制御を行う際の動作について説明する。
図７の、フローチャートに示されるとおり、ステップＳＴ１０以外のフローは上記［操作メニューを表示し操作を行う場合の動作例］のフローと同様である。
【００６１】
ステップＳＴ０６で選択メニューにて単体でなく連続操作の項目が選択された場合、制御部１０４は、記憶部１０５から、上記選択された項目から複数の電子機器を制御するための複数のリモコン信号を取得し、例えば、一定の間隔で順次複数の電子機器へリモコン信号送信部１０３を介してリモコン信号を送信する（ステップＳＴ１０）。
上記連続操作の項目とは［複数電子機器の連続操作の設定］にて定義、登録された内容のことである。例えば、図１０に示すとおり、メニューＭＮ０５にておいて、特定の電子機器を選択せずに”ＵＳＥＲ（ユーザ設定）”を選択することにより、［複数電子機器の連続操作の設定］にて定義、登録された内容のリストがメニューＭＮ０６に表示される。
制御部１０４は、連続操作の項目から、各操作へ分解し、当該操作の情報を基に、記憶部１０５上のテーブルから、対象機器、操作情報および対応するリモコン情報等をそれぞれ取得する。
【００６２】
また、複数の電子機器へリモコン信号を送信する際に、制御対象となる電子機器から返ってくる信号から、次に送信するリモコン信号を判断し、次のリモコン信号を送信するというような制御を行ってもよいし、返ってくる信号を受信せずに一定の間隔で一方的にリモコン信号を送信してもよいし、また、複数のリモコン信号を一斉に送信してもよい。
また、上記一定の間隔でリモコン信号を送信する際に、送信間隔を予めユーザが設定できる機能があってもよい。
なお、ショートカットボタンの操作により、連続操作が可能であってもよい。
【００６３】
［タイマー操作を行う場合の動作例］
次に、タイマー機能にて特定の時間にリモコン信号を送信し、他の電子機器６０１〜６０３の制御を行う際の動作について説明する。
図７の、フローチャートに示されるとおり、ステップＳＴ１２以外のフローは上記［操作メニューを表示し操作を行う場合の動作例］のフローと同様である。ただし、制御部１０４のタイマー機能を使用し、処理を開始するため、リモコン２０から他機器制御用リモコン信号は受信しない。
【００６４】
ステップＳＴ０２でタイマー操作と判断された場合、制御部１０４は、記憶部１０５から、予め登録されている予約情報を取得し、指定された電子機器へ、指定されたリモコン信号を、リモコン信号送信部１０３を介して送信する（ステップＳＴ１２）。
タイマー機能については、他機器制御モード用のタイマー機能であってもよいし、映像表示装置１０の通常のタイマー機能を使用してもよい。
なお、［ショートカットボタンの設定］で登録した内容に基づいて、ショートカットの操作がタイマー機能に使用可能であってもよい。
【００６５】
［遠隔地から操作を行う場合の動作例］
次に、遠隔操作用端末装置４０を介して他機器制御用リモコン信号を送信し、６０１〜６０３の制御を行う際の動作について説明する。
図７の、フローチャートに示されるとおり、ステップＳＴ１３以外のフローは上記［操作メニューを表示し操作を行う場合の動作例］のフローと同様である。ただし、遠隔操作用端末装置４０を介してリモコン信号を送信するため、リモコン２０から他機器制御用リモコン信号は受信しない。
【００６６】
ステップＳＴ０２で遠隔操作と判断された場合、制御部１０４は、遠隔操作用端末装置４０を介してネットワーク接続部１０６から他機器制御用リモコン信号を受信し（ステップＳＴ１３）、記憶部１０５上のテーブルから対象機器や操作情報を取得し、リモコン信号送信部１０３を介して送信する。
なお、［ショートカットボタンの設定］で登録した内容に基づいて、ショートカットの操作が遠隔操作で使用可能であってもよい。
【００６７】
従来技術では、映像表示機器に付属のリモコンとは異なる学習型リモコンを別途購入し、学習型リモコンに対して、リモコン操作可能な電子機器のリモコン信号を送信したり、学習型リモコンのボタンを操作するなどして、送信するリモコン信号を学習型リモコンに登録する方式を採用し、煩雑な登録作業を行っていた。
これに対し、本実施例の映像表示装置１０では、映像表示装置のディスプレイ上のメニュー操作により設定作業を行い、映像表示装置用のリモコン２０から他機器制御用リモコン信号を映像表示装置１０が受信し、当該他機器制御用リモコン信号に基づいて制御対象となる電子機器へリモコン信号を送信し制御する仕組みを設定処理により実現することにより、学習型リモコンが不要になる。これにより、ユーザは、学習型リモコンを購入する必要がなくなる。
【００６８】
また、映像表示装置１０では、ユーザは、大画面のディスプレイ上に表示される多様なメニューに沿って設定操作を行うことができ、設定操作を容易に操作を行うことができる。
【００６９】
また、映像表示装置１０では、機器の連続操作を設定および実行できるため、ユーザは、複数の機器操作を一括して簡単に行うことができ、機器操作に伴う負担を軽減できる。
【００７０】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００７１】
上述した実施形態では、設定処理後に他の電子機器を制御する際に、図８〜図１０を用いて説明した画面をディスプレイ１０１に表示する場合を例示したが、ディスプレイ１０１がオンの場合でも、このような画面は表示しなくてもよい。
【００７２】
本実施形態で示した映像表示装置は、テレビ受像機でなくても、パーソナルコンピュータ等のＧＵＩを作成し表示可能な機構をもつ、いかなる電気機器で実現してもよい。
【００７３】
また、操作手段にリモコンを使用したが、当該リモコンは、一般的に市場に出回っているものも適用可能である。また、ボタンを備えず、タッチパネルのようなものでもよい。
さらに、リモコンというものに限定されず、操作部を備えるものであれば、いかなる機器であってもよい。例えば、映像表示装置本体の操作ボタンを用いる、あるいは表示パネルをタッチパネルとしてもよい。
【産業上の利用可能性】
【００７４】
本発明は、ディスプレイを備え、リモコン操作が可能な映像表示装置に適用可能である。
【図面の簡単な説明】
【００７５】
【図１】本発明の実施形態における映像表示装置の外観図である。
【図２】本発明の実施形態における映像表示装置の主要な機能を説明するために示すブロック図である。
【図３】本発明の実施形態における映像表示装置のリモコンを説明するために示す外観図である。
【図４】図２の映像表示装置に表示される、データベースを使用しリモコン信号を登録するための設定画面を示す図である。
【図５】図２の映像表示装置に表示される、リモコンから直接リモコン信号を登録するための設定画面を示す図である。
【図６】図２の映像表示装置に表示される、リモコン信号を数値入力し登録するための設定画面を示す図である。
【図７】実施形態における、主要な機能のフローを説明するために示すフローチャートである。
【図８】図２の映像表示装置に表示される、他の電子機器を制御する際の操作メニューを示す図である。
【図９】図２の映像表示装置に表示される、他の電子機器を制御する際にショートカットボタンにより操作がされたことを表す画面を示す図である。
【図１０】図２の映像表示装置に表示される、他の電子機器を制御する際に連続操作用のメニューを示す図である。
【符号の説明】
【００７６】
１０…映像表示装置、１０１…ディスプレイ、１０２…リモコン信号受信部、１０３…リモコン信号送信部、１０４…制御部、１０５…記憶部、１０６…ネットワーク接続部、２０…リモコン、３０…サーバ、４０…遠隔操作用端末装置、５０…ユーザ、６０１〜６０４…他の電子機器
【図１】
2009071366.tif 000004
【図２】
2009071366.tif 000005
【図３】
2009071366.tif 000006
【図４】
2009071366.tif 000007
【図５】
2009071366.tif 000008
【図６】
2009071366.tif 000009
【図７】
2009071366.tif 000010
【図８】
2009071366.tif 000011
【図９】
2009071366.tif 000012
【図１０】
2009071366.tif 000013